(57)【要約】【課題】アームレストとしての機能を満足に維持しつつ、壁部品にぶつからないアームレストを備えた乗り物用シートを提供する。【解決手段】前側から横側に少なくとも回転可能なるシートクッション２と、該シートクッション２に支持されてなるシートバック３と、該シートバック３に略水平に支持されてなるアームレスト４，５とよりなり、アームレスト４，５は、シートバック３側のベース部材８，１２と、前側に配されてなる自由端部材９，１３と、前記ベース部材８，１２に対して自由端部材９，１３をシートバック３側に折り曲げ可能なる折り曲げ部材とより構成されてなる。【選択図】        図１
2004291684.tif 000002
【特許請求の範囲】
【請求項１】
前側から横側に少なくとも回転可能なるシートクッションと、該シートクッションに支持されてなるシートバックと、該シートバックに略水平に支持されてなるアームレストとより少なくとも構成されてなる乗り物用シートにおいて、
前記アームレストは、シートバック側のベース部材と、該ベース部材より前側に配されてなる自由端部材と、前記ベース部材に対して自由端部材をシートバック側に折り曲げ可能なる折り曲げ部材とより構成されてなることを特徴とする乗り物用シート。
【請求項２】
請求項１に記載の乗り物用シートであって、
前記折り曲げ部材は、ベース部材と自由端部材とにそれぞれ固定されてなる蝶番よりなり、
前記ベース部材と自由端部材と折り曲げ部材とは、トリムカバーにより覆われてなることを特徴とする乗り物用シート。
【請求項３】
請求項２に記載の乗り物用シートであって、
前記トリムカバーは、前記ベース部材を収納してなる袋状のベースカバーと、前記自由端部材を収納してなる袋状の端部カバーとよりなり、前記自由端部材が折れ曲がる背面側に切り欠きを形成してなることを特徴とする乗り物用シート。
【請求項４】
請求項３に記載の乗り物用シートであって、
前記トリムカバーのベースカバーと端部カバーとには、前記切り欠きを介在して延在されてなると共に一方に支持され且つ他方に係脱自在なる固定ベルトが配されてなることを特徴とする乗り物用シート。
【請求項５】
請求項１乃至請求項４の何れか１項に記載の乗り物用シートであって、
前記アームレストは、前記シートバックに対して上側位置から水平位置まで回転自在に軸支されてなることを特徴とする乗り物用シート。
【発明の詳細な説明】
【０００１】
【発明の属する技術分野】
この発明は、水平方向に回転可能なる乗り物用シートに関するものである。
【０００２】
【従来の技術】
従来の水平方向に回転可能なる乗り物用シートとしては、例えば、福祉車両などのように、下半身麻痺の身障者などを、車椅子の着座した車外と車内との間を確実に移動させるために、乗り物用シートを前側から横側に少なくとも回転可能としてなるシートクッションと、該シートクッションに支持されてなるシートバックと、該シートバックに略水平に支持されて身体の横揺れを防止してなるアームレストとより少なくとも構成されてなる（例えば、特許文献１。）。
【０００３】
【特許文献１】
特開２００２−２２５５９６号公報。
【０００４】
【発明が解決しようとする課題】
しかしながら、このような従来の技術にあっては、身体の横揺れを確実に防止するために、アームレストが前後に長くしているため、乗り物用シートの回転時に壁部品（たとえば、インストルメントパネル、ピラー）にアームレストがぶつかるおそれがある。このため、乗り物用シートの回転時に、アームレストを若干持ち上げてぶつからないようにしたり、アームレストの前後長さを短くする必要があり、かかる場合、前者では身体の横倒しがないように介添え者が支えなければならず、身体の大きな着座者の場合など介添え者が大きな力を必要とし、改善が望まれるし、後者の場合、身体の横倒しや横揺れを確実に防ぐには不安があり、かかる場合も介添え者の介添えが必要となる。
【０００５】
この発明は、このような従来の技術に着目してなされたものであり、アームレストとしての機能を満足に維持しつつ、壁部品にぶつからないアームレストを備えた乗り物用シートを提供するものである。
【０００６】
【課題を解決するための手段】
請求項１に記載の発明は、前側から横側に少なくとも回転可能なるシートクッションと、該シートクッションに支持されてなるシートバックと、該シートバックに略水平に支持されてなるアームレストとより少なくとも構成されてなる乗り物用シートにおいて、前記アームレストは、シートバック側のベース部材と、該ベース部材より前側に配されてなる自由端部材と、前記ベース部材に対して自由端部材をシートバック側に折り曲げ可能なる折り曲げ部材とより構成されてなることを特徴とする。
【０００７】
請求項１に記載の発明によれば、前記アームレストがベース部材に対して、該ベース部材より前側に配されてなる自由端部材が折り曲げ部材によりシートバック側に折り曲げられるので、アームレストの自由端部材が壁部材へぶつかることなく乗り物用シートを回転できることになる。しかも、乗り物用シートを回転させない前向き及び横向きにした位置では、アームレストはベース部材に対して同じ向きに自由端部材を延在できるので、乗員の横側からの支持が確実となり、介添え者を不要とする。
【０００８】
請求項２に記載の発明は、請求項１に記載の乗り物用シートであって、前記折り曲げ部材は、ベース部材と自由端部材とにそれぞれ固定されてなる蝶番よりなり、前記ベース部材と自由端部材と折り曲げ部材とは、トリムカバーにより覆われてなることを特徴とする。
【０００９】
請求項２に記載の発明によれば、蝶番によりベース部材に対して自由端部材が回転自在であるにも関わらず、前記ベース部材と自由端部材と折り曲げ部材とは、トリムカバーにより覆われてなるので、見栄えを向上する。
【００１０】
請求項３に記載の発明は、請求項２に記載の乗り物用シートであって、前記トリムカバーは、前記ベース部材を収納してなる袋状のベースカバーと、前記自由端部材を収納してなる袋状の端部カバーとよりなり、前記自由端部材が折れ曲がる背面側に切り欠きを形成してなることを特徴とする。
【００１１】
請求項３に記載の発明によれば、ベースカバーと端部カバーとにより前記ベース部材と自由端部材とを覆ってなるので、見栄えを向上する。
【００１２】
請求項４に記載の発明は、請求項３に記載の乗り物用シートであって、前記トリムカバーのベースカバーと端部カバーとには、前記切り欠きを介在して延在されてなると共に一方に支持され且つ他方に係脱自在なる固定ベルトが配されてなることを特徴とする。
【００１３】
請求項４に記載の発明によれば、固定ベルトがトリムカバーのベースカバーと端部カバーとの一方に支持され且つ他方に係合離脱自在で、切り欠きを介在して延在されてなるので、係合させれば直線状のアームレストとなって乗員の横揺れを防止し、離脱させればシートバック側に倒せるので、壁部材にアームレストがぶつからず乗り物用シートをスムーズに回転できることになる。
【００１４】
請求項５に記載の発明は、請求項１乃至請求項４の何れか１項に記載の乗り物用シートであって、前記アームレストは、前記シートバックに対して上側位置から水平位置まで回転自在に軸支されてなることを特徴とする。
【００１５】
請求項５に記載の発明によれば、アームレストを上側位置にすれば、乗り物用シートへの乗り降りを容易にし、水平位置にすれば、乗り物用シートに着座した乗員の横揺れを支持できる。
【００１６】
【発明の実施の形態】
以下、この発明の好適な実施形態を、図面を参照に説明する。
【００１７】
図１乃至図６は、この発明の一実施形態に関する自動車用シート１を説明する。該自動車用シート１は、図１に実線で示す前側から図１に二点鎖線で示す横側に少なくとも回転可能なるシートクッション２と、該シートクッション２に支持されてなるシートバック３と、該シートバック３の左右に略水平に支持されてなるアームレスト４，５と、前記シートバック３の上側に配設されてなるヘッドレスト６とより少なくとも構成されてなる。「少なくとも」とは、この他に、シートクッション２を前後方向に移動可能なるスライド装置、シートクッション２に対してシートバック３を前後に回転制御可能なるリクライニング装置など周知の技術が加わっても良いからである。
【００１８】
右側のアームレスト４は、シートバック３側に軸支部材７により上側及び前側に回転自在に軸支されてなるベース部材８と、該ベース部材８より前側に配されてなる自由端部材９と、前記ベース部材８に対して自由端部材９をシートバック３側に折り曲げ可能なる折り曲げ部材１０とより構成されてなる。左側のアームレスト５は、右側のアームレスト４の左右対称形状であり、軸支部材１１と、ベース部材１２と、自由端部材１３と、折り曲げ部材１４とより構成されてなる。
【００１９】
前記折り曲げ部材１０，１４は、前記ベース部材８，１２と、前記自由端部材９，１３とにそれぞれ固定されてなる蝶番より構成されてなり、前記ベース部材８，１２と、前記自由端部材９，１３と、前記折り曲げ部材１０，１４とは、トリムカバー１５により覆われてなる。
【００２０】
前記トリムカバー１５は、前記ベース部材８，１２を収納してなる袋状のベースカバー１６と、前記自由端部材９，１３を収納してなる袋状の端部カバー１７とより構成されてなり、前記自由端部材９，１３がベース部材８，１２に対して折れ曲がる背面側に切り欠き１８を形成してなる。
【００２１】
前記トリムカバー１５のベースカバー１６と、端部カバー１７とには、前記切り欠き１８を介在して延在されてなると共に端部カバー１７に縫製により支持され且つベースカバー１６に固定された雄ファスナー１９に係脱自在な雌ファスナー２０が自由端部２１ａに支持されてなる固定ベルト２１が配されてなる。該固定ベルト２１は、ベースカバー１６に縫製により支持され且つ端部カバー１７に固定された雄ファスナー１９に係脱自在な雌ファスナー２０が自由端部２１ａに支持されてなるものでも良いし、雄ファスナー１９が固定ベルト２１に固定され、雌ファスナー２０がベースカバー１６に固定されていても良い。
【００２２】
次に、この実施形態の作用を説明する。
【００２３】
前記アームレスト４，５のベース部材８，１２に対して、該ベース部材８，１２より前側に配されてなる自由端部材９，１３が、図２の実線で示す位置から折り曲げ部材１０，１４により二点鎖線で示す位置であるシートバック３側に折り曲げられるので、アームレスト４，５の自由端部材９，１３が壁部材であるインストルメントパネル２２（図１参照）へぶつかることなく乗り物用シート１を回転できることになる。しかも、乗り物用シート１を回転させない前向き（図１の実線位置）及び横向き（図１の二点鎖線位置）にした位置では、アームレスト４，５はベース部材８，１２に対して同じ向きに自由端部材９，１３を延在できるので、乗員の横側からの支持が確実となり、介添え者を不要とする。
【００２４】
蝶番により構成されてなる折り曲げ部材１０，１４は、ベース部材８，１２に対して自由端部材９，１３が回転自在であるにも関わらず、前記ベース部材８，１２と自由端部材９，１３と折り曲げ部材１０，１４とは、トリムカバー１５により覆われてなるので、見栄えを向上することができる。
【００２５】
固定ベルト２１がトリムカバー１５のベースカバー１６と端部カバー１７との一方に支持され且つ他方に係合離脱自在で、切り欠き１８を介在して延在されてなるので、係合させれば図１の実線で示すような直線状のアームレスト４，５となって乗員の横揺れを防止し、離脱させれば図２の二点鎖線で示すようなシートバック３側に倒せる（曲げられる）ので、壁部材であるインストルメントパネル２２（図１参照）にアームレスト４，５がぶつからず乗り物用シート１をスムーズに回転できることになる。
【００２６】
アームレスト４，５を上側位置にすれば、乗り物用シート１への乗り降りを容易にし、図２に示すような水平位置にすれば、乗り物用シート１に着座した乗員の横揺れを支持できる。
【００２７】
尚、以上の実施形態では、自動車用シートとして説明したが、自動車用に限定されるものではなく、鉄道、航空機、船舶などの乗り物のすべてに採用が可能である。
【００２８】
【発明の効果】
請求項１に記載の発明によれば、前記アームレストがベース部材に対して、該ベース部材より前側に配されてなる自由端部材が折り曲げ部材によりシートバック側に折り曲げられるので、アームレストの自由端部材が壁部材へぶつかることなく乗り物用シートを回転できることになる。しかも、乗り物用シートを回転させない前向き及び横向きにした位置では、アームレストはベース部材に対して同じ向きに自由端部材を延在できるので、乗員の横側からの支持が確実となり、介添え者を不要とする。
【００２９】
請求項２に記載の発明によれば、蝶番によりベース部材に対して自由端部材が回転自在であるにも関わらず、前記ベース部材と自由端部材と折り曲げ部材とは、トリムカバーにより覆われてなるので、見栄えを向上する。
【００３０】
請求項３に記載の発明によれば、ベースカバーと端部カバーとにより前記ベース部材と自由端部材とを覆ってなるので、見栄えを向上する。
【００３１】
請求項４に記載の発明によれば、固定ベルトがトリムカバーのベースカバーと端部カバーとの一方に支持され且つ他方に係合離脱自在で、切り欠きを介在して延在されてなるので、係合させれば直線状のアームレストとなって乗員の横揺れを防止し、離脱させればシートバック側に倒せるので、壁部材にアームレストがぶつからず乗り物用シートをスムーズに回転できることになる。
【００３２】
請求項５に記載の発明によれば、アームレストを上側位置にすれば、乗り物用シートへの乗り降りを容易にし、水平位置にすれば、乗り物用シートに着座した乗員の横揺れを支持できる。
【図面の簡単な説明】
【図１】この発明の一実施形態に係る自動車用シート１を示す上面図。
【図２】図１の自動車用シート１を示す斜視図。
【図３】図２の右側のアームレストを直線状とした状態を示す拡大斜視図。
【図４】図２の要部であるアームレストの自由端部材をシートバック側に曲げた状態を示す拡大斜視図。
【図５】図２の左側のアームレストにトリムカバーで覆った状態を示す拡大斜視図。
【図６】図５の分解斜視図。
【符号の説明】
１  自動車用シート
２  シートクッション
３  シートバック
４，５  アームレスト
８，１２  ベース部材
９、１３  自由端部材
１０、１４  折り曲げ部材
１５  トリムカバー
１６  ベースカバー
１７  端部カバー
１８  切り欠き
１９  雄ファスナー
２０  雌ファスナー
２１  固定ベルト
【図１】
2004291684.tif 000003
【図２】
2004291684.tif 000004
【図３】
2004291684.tif 000005
【図４】
2004291684.tif 000006
【図５】
2004291684.tif 000007
【図６】
2004291684.tif 000008